Podtech/llm-jp-corpus-v4-ja_patent huggingface dataset:
(57)【要約】【課題】  農作業をしていて、休憩になり作業手袋がかなり汚れていたのでポケットに入れずその場に置く。休憩が終わり作業場所が変わった。そこで置いてきた手袋に気が付く。今度は汚れた部分を外に出して、作業手袋をポケットに挟んだ。しかし移動してる内に落としてしまった。そういうことがよくある。  本発明は、使用しないときに作業手袋を貼り付けて、作業手袋の落下や紛失を防止する作業ズボンを提供する。【解決手段】  作業ズボンの横とうしろの左右ポケット部辺りにマジックテープ（登録商標）凸を付け、作業手袋の手首の手の平側にマジックテープ（登録商標）凹を付け、作業手袋の手首の内面部分にホック凸凹を付ける。【選択図】図１
2011084852.tif 000002
【特許請求の範囲】
【請求項１】
作業ズボンの横とうしろの左右ポケット部辺りにマジックテープ（登録商標）凸を付け、作業手袋の手首の手の平側にマジックテープ（登録商標）凹を付け、作業手袋の手首の内面部分にホック凸凹を付けたことを特徴とする作業手袋を貼り付ける作業ズボン。
【発明の詳細な説明】
【技術分野】
【０００１】  本発明は、作業手袋をはめて、作業をする時などに関する作業ズボンである。
【技術背景】
【０００２】  従来、園芸もしくは、農作業をする時、指先を保護するために作業手袋をはめる。休憩や作業が終わった時は、手袋を外し、その場に置くか、作業ズボンのポケットに入れる。
【発明の概要】
【発明が解決しようとする課題】
【０００３】  農作業をしていて、休憩になり作業手袋がかなり汚れていたのでポケットに入れずその場に置く。休憩が終わり作業場所が変わった。そこで置いてきた手袋に気が付く。今度は汚れた部分を外に出して、作業手袋をポケットに挟んだ。しかし移動してる内に落としてしまった。そういうことがよくある。
本発明は、以上の問題点を解決するためになされたものである。
【課題を解決するための手段】
【０００４】  作業ズボンの横とうしろの左右ポケット部辺りにマジックテープ（登録商標）凸を付ける。
作業手袋の手首の手の平側にマジックテープ（登録商標）凹を付ける。作業手袋の手首の内面部分にホック凸凹を付ける。以上の構成よりなる作業手袋を貼り付ける作業ズボン。
【発明の効果】
【０００５】  本発明により作業手袋を使わない時などにポケットに入れずに運用を可能とし、一目で作業者の作業手袋の有無を確認できる。紛失や落下も防止できさらに予備の作業手袋を邪魔にならず携帯することができる。
【図面の簡単な説明】
【０００６】
【図１】本発明の側面図
【図２】本発明の使用状態を示す側面図
【図３】本発明の一部である作業手袋の斜視図
【発明を実地するための形態】
【０００７】  以下、本発明の実地の形態を説明する。
作業ズボン（１）の横のポケット（８）とうしろのポケット（９）の左右にマジックテープ（登録商標）凸（２）を設ける。予備手袋（５）と作業手袋の手首部（１０）の手の平側（１１）にマジックテープ（登録商標）凹（３）を設ける。予備手袋（５）と作業手袋の手首部（１０）の内面部分（１２）にホック凸（６）、ホック凹（７）を設ける。
本発明は以上のような構造である。本発明を使用するときは、作業手袋の手首部（１０）の内面部分（１２）のホック凸（６）、ホック凹（７）をはずし、指を入れ、作業ズボン（１）から作業手袋（４）をはずし作業する。紛失したときや用途に応じて予備手袋（５）を使用する。
作業終了後は、作業手袋（４）を指からはずし作業ズボン（１）に設けてあるマジックテープ（登録商標）凸（２）にあわさるように作業手袋の手首部（１０）の手の平側（１１）に設けてあるマジックテープ（登録商標）凹（３）に貼り付ける。そしてゴミなどの進入を防ぐために作業手袋の手首部（１０）の内面部分（１２）のホック凸（６）、ホック凹（７）をはめる。
【符号の説明】
【０００８】（１）作業ズボン、（２）マジックテープ（登録商標）凸、（３）マジックテープ（登録商標）凹、（４）作業手袋、（５）予備手袋、（６）ホック凸、（７）ホック凹、（８）横のポケット、（９）うしろのポケット、（１０）作業手袋の手首部、（１１）手の平側、（１２）内面部分
【図１】
2011084852.tif 000003
【図２】
2011084852.tif 000004
【図３】
2011084852.tif 000005
(57)【要約】【課題】  従来の香取線香の着火はマッチやライターなどの外部着火器を用意しなければならないだけでなく風に当たる場所では外部着火器が消えやすく手間のかかる面倒な作業を必要としたため簡単着火の蚊取り線香を提供する。【解決手段】  蚊取り線香の端末に頭薬を塗布して置き、蚊取り線香収納容器に塗布した側薬にこすり合わせるだけでマッチを掏って着火するように簡単に線香に着火できるようにする。【選択図】図１  図２
2011084544.tif 000002
【特許請求の範囲】
【請求項１】
蚊取り線香の外端にマッチの軸の頭のような酸化剤、燃焼剤、調節剤、接着剤を含む「頭薬」を塗りおき、蚊取り線香収納容器に張った発火剤、接着剤を含む「側薬」にこすり合わせることにより簡単に着火する蚊取り線香。
【発明の詳細な説明】
【発明の詳細な説明】
【技術分野】
【０００１】  本発明はマッチやライターで着火していた蚊取り線香を簡単に着火するよう蚊取り線香の端末をマッチのように着火できるようにしたものである。
【背景技術】
【０００２】従来はマッチやライターなどの外部着火器で着火し、簡単に着火できる蚊取り線香はなかった。
【発明が解決しようとする課題】
【０００３】  マッチやライターでの着火はこれらの外部着火器を用意しなければならないだけでなく風に当たる場所では外部着火器が消えやすく手間のかかる面倒な作業を必要とした。
【問題を解決するための手段】
【０００４】蚊取り線香の端末に頭薬を塗布しておき側薬にこすり合わせるだけでマッチを掏って着火するように簡単に線香に着火するようにした。これにより外部着火器がなくとも風が強い中でも簡単に容易に蚊取り線香への着火が可能となった。
【発明を実施するための形態】
【０００５】以下、本発明の実施の形態について説明する。
（イ）蚊取り線香の先端鋭角の部分に頭薬を塗布する。
（ロ）蚊取り線香を入れる缶もしくは箱の側面に側薬を塗布する。
【発明の効果】
【０００６】風のあるところでも、マッチを擦る感覚で簡単にすばやく点火できる。
【図面の簡単な説明】
【図１】    本発明の頭薬部分の見取り図である。
【図２】    本発明の側薬部分の見取り図である。
【符号の説明】  １蚊取り線香本体
２頭薬
３蚊取り線香収納容器
４側薬
【図１】
2011084544.tif 000003
【図２】
2011084544.tif 000004
(57)【要約】【課題】従来のシャンプー及びトリートメントから、化学薬品による人体の悪影響を排除し、従来品の洗浄能力に、人体に安全な天然成分の薬効とマスティックの抗菌性、殺菌性を加えて、地肌の改善機能を向上させる。【解決手段】シャンプー及びトリートメントはマスティックを含有する天然物抽出エキスを含んでいる。一方で人体に害を与える可能性をもつ化学薬品を一切使用しない。マスティックとこれらの成分の相乗効果と化学薬品を排除する事によって、既存品にくらべ地肌を痛めることなく、抗菌効果による地肌の改善機能を向上させる。【選択図】なし【特許請求の範囲】
【請求項１】
マスティックを含む天然物抽出エキスから構成される事を特徴とするシャンプー及びトリートメント。
【発明の詳細な説明】
【技術分野】
【０００１】本発明は、シャンプー及びトリートメントに関するものである。
【背景技術】
【０００２】ｐｉｓｔａｃｉａ  ｌｅｎｔｉｓｃｕｓの木から抽出される天然の樹液エキスであるマスティックは西欧の方で古来から、健康促進や消化器疾患に対する薬品として知られていた。また最近の研究により、ピロリ菌に対する殺菌効果が認められており、ヨーロッパやアメリカをはじめとして、実際に医薬品としての価値が認められ、軟膏や、手術の糸として幅広く使用されている。【０００３】また、その殺菌効果に着目し歯周病予防の歯磨き剤も開発されている。日焼け止め効果もあるためオイルは化粧品の原料としても利用されている。【０００４】このマスティックの効果に関しては非特許文献１である「多機能食品としてのマスティックの生物学的作用」の中で、抗菌作用、抗酸化作用、抗腫傷作用、抗ＨＩＶ作用もマスティックの効果としてあげられている。
【先行技術文献】
【非特許文献１】
【０００５】ニューフードインダストリー  ４９（４）  ｐｐ．１  ０８  ２００７／４、「多機能食品としてのマスティックの生物学的作用」
【発明の概要】
【発明が解決しようとする課題】
【０００６】本発明者は、マスティックの人体へ無害な事と、古来から現在に至るまで、薬品として使用されてきたマスティックの高い抗菌性、生体・皮膚への保護機能に着目し、各種の実験、研究を行った結果、頭皮、頭髪の改善機能を向上させる作用効果が得られることを見出し、本発明をなすにいたった。
【課題を解決するための手段】
【０００７】本発明ははマスティックを含む、植物抽出エキスなどの天然物抽出エキスからシャンプー及びトリートメントを精製することを特徴としている。【０００８】マスティック以外の天然物抽出エキスは、野菜、果物、海草、穀物、野生植物、菌類などの天然物から、熱水抽出法やろ過・精製する方法によって抽出する事ができる。【０００９】天然抽出物エキスとしては、例としてラベンダー油やクエン酸、その他ハーブとして有名なセージ、タイムや野菜であるセロリから得られるエキスがあげられる。【００１０】ラベンダー油にはその香りが気分を安定させるアロマテラピー効果を有し、クエン酸は柑橘類から抽出可能で、ＰＨ調整効果があり、肌のキメを整え、健康な状態に維持することができる。セージから抽出されるエキスには血行促進、消炎効果、殺菌効果があり、セロリから抽出されるエキスには保湿効果がある。【００１１】これらの天然抽出物エキスは以上のように古来より薬物としての効能が認められている。この天然抽出物エキスマスティックとあわせて使用することにより、マスティックの高い抗菌性、生体・皮膚への保護機能と合わさって、高いシナジー効果をあげる事ができる。【００１２】マスティックは他の成分と非常に混ざりにくい性質を持っている。そのためマスティックを含む天然物抽出エキスは５０度から６５度の温度で半日以上煮詰め、その後数日間熟成させることにより、アミノ酸を破壊することなく、シャンプー及びトリートメントに相応しいゲル状に混ざりあった状態を、従来品に使用したような安定剤を使用することなく、維持させることができる。
【発明の効果】
【００１３】本発明により製造されるシャンプー及びトリートメントは、マスティックの働きによる高い抗菌作用、抗酸化作用、抗腫傷作用をもつ。これと従来より薬品や健康食品として使用されてきた天然抽出物エキスを配合することにより、その相乗効果によりシャンプー及びトリートメントとしての機能を一層増すことができる。【００１４】また人体に有害と予測される従来品に使用されていた化学薬品による安定剤は一切使用しないので、低刺激、弱酸性という効果をもたらす事ができる。【００１５】したがって、従来では得られなかった、ふけ防止、ぬ抜け毛対策、日焼け止め等の生体・皮膚の保護機能に対して優れた効果を得ることができ、また従来品より生体・皮膚に対して低刺激という効果を得ることができる。
【発明を実施するための最良の形態】
【００１６】以下に、本発明を適用した実施例を説明する。【００１７】実施例１：シャンプー
以下の成分を含むシャンプーを調製した。
配合成分：水、オレフィン（１４−１６）スルホン酸Ｎａ、コカミドＤＥＡ、コカミドプロピルベタイン、ココイルグルタミン酸ＴＥＡ、ＰＥＧ−１５ココポリアミン、ＰＥＧ−７グリセリンエート、クエン酸、ポリクオタニウム−１０、ジステアリン酸ＰＥＧ−１５０、アルテアエキス、オノニスエキス、カミツレエキス、スギナエキス、フキタンポポエキス、メリッサエキス、ベタイン、セイヨウアカマツ葉油、マスティック樹脂【００１８】本例のシャンプーは、低刺激、弱酸性タイプのシャンプーである。【００１９】オレフィン（１４−１６）スルホン酸Ｎａ、コカミドＤＥＡ、コカミドプロピルベタイン、ココイルグルタミン酸ＴＥＡ、ＰＥＧ−１５ココポリアミン、ＰＥＧ−７グリセリンエート、に関しては天然のヤシを由来として精製される成分であり、洗浄能力にすぐれた成分として、従来より天然成分を使用した洗剤にも使用されている。【００２０】ポリクオタニウム−１０はトウモロコシなどの繊維より作られ、皮膚の保護効果を持つ。【００２１】ジステアリン酸ＰＥＧ−１５０は植物由来の脂肪酸から作られる安全性に優れた界面活性剤である。【００２２】アルテアエキスはアルテアから採れたエキスで鎮静や保湿成分として使用される。【００２３】オノニスエキスはオニノスの根及び根茎から抽出されるエキスである。【００２４】カミツレエキスはカミツレから採ることができるエキスで毛穴の当廃物を除去し、抗アレルギー、鎮静作用を持つ【００２５】スギナエキスはスギナから取れるエキスで抗炎症作用を持つ。【００２６】フキタンポポエキスはフキタンポポの花、葉から取れるエキスで柔軟効果を持つ。【００２７】メリッサエキスはメリッサより取れるエキスで収斂や保湿、抗菌作用を持つ。【００２８】ベタインはサトウダイコン、綿実そのほか多くの植物中に存在する植物より取れる天然アミノ酸系保湿剤である。【００２９】上記の説明のとおり、全ての成分が天然成分由来のものであるため、刺激などの人体への悪影響はなく、マスティックの高い抗菌性、生体・皮膚への保護機能との相乗効果により、天然成分だけで、従来のシャンプーと同等以上洗浄力に加え、従来品よりはるかに高品質の低刺激性と生体・皮膚への保護機能が認められた。
(57)【要約】【課題】ガラス戸又はアルミサッシ等に設置されたクレセント錠は、室外からの侵入を防止するための防犯安全を目的としたものである。このため、室外での作業中に誤って、幼児や子供が室内より施錠した場合、作業者は再び室内に戻る手段を失ってしまう恐れがあった。【解決手段】クレセント錠が解除の状態で、クレセント錠の固定金具２に施錠ストッパー４を装着し、回転可動部１と固定金具２の噛み合せを規制させて、解除の状態を維持させる。施錠ストッパー４は、固定金具２に挟んで容易に装着できるもので、クレセント錠の改造は不要である。施錠ストッパー４は、固定金具２に装着された状態で、ガラス戸又はアルミサッシ等の開閉が可能な、出っ張りの無い薄型の形状である。【選択図】図１
2011085000.tif 000002
【特許請求の範囲】
【請求項１】
ガラス戸又はアルミサッシ等に設置されたクレセント錠の、回転可動部の動作を規制して、クレセント錠の解除された状態を維持することを特徴とする施錠ストッパー。
【請求項２】
前記の施錠ストッパーは、スペーサーの板を二枚の長方形の板で挟んだ形状を特徴とする請求項１記載の施錠ストッパー。
【請求項３】
前記の施錠ストッパーは、クレセント錠の固定金具に挟んで装着し、装着した状態でガラス戸又はアルミサッシ等の開閉が可能な、出っ張りの無い薄型の形状を特徴とする請求項１記載の施錠ストッパー。
【発明の詳細な説明】
【技術分野】
【０００１】  この発明は、ガラス戸又はアルミサッシ等に設置されているクレセント錠の施錠に関する。
【背景技術】
【０００２】  従来のガラス戸又はアルミサッシ等に設置されているクレセント錠は、図３及び図４に示すように、室内より回転可動部１を回転させて、固定金具２へ噛み合せて施錠させる構造となっている。また室内より、回転可動部１の回転を規制し、施錠された状態に維持させる補助錠３が設けられたものである。
【先行技術文献】
【特許文献】
【０００３】
【特許文献１】特開２００３−１２９７２９号公報
【発明の概要】
【発明が解決しようとする課題】
【０００４】  しかしながら、以上の技術によれば、クレセント錠は室外からの侵入を防止するための防犯安全を目的としたものであり、施錠の解除状態を維持する機能は有してはいない。したがって、室外での作業中に誤って、幼児や子供が室内より施錠をした場合、作業者は再び室内に戻る手段を失ってしまう恐れがある。
そこで、この発明は、幼児や子供による室内からの不慮の施錠の防止を提供することを課題とする。
【課題を解決するための手段】
【０００５】  以上の課題を解決するために、第一発明は、クレセント錠に関して、図１に示す固定金具２への回転可動部１の噛み合せを規制させることを特徴とする施錠ストッパー４である。
また、第二発明は、この施錠ストッパーは、スペーサーを二枚の長方形の板で挟んだ形状であることを特徴とする施錠ストッパーである。
また、第三発明は、この施錠ストッパーは、クレセント錠が解除された状態において、固定金具２に後付けで装着を行ない、装着された状態で、ガラス戸又はアルミサッシ等の開閉が可能な、出っ張りの無い薄型の形状を特徴とする施錠ストッパーである。
【発明の効果】
【０００６】  第一発明によれば、クレセント錠の施錠を規制することで、解除状態の維持が可能となり、室外での作業中に誤って、幼児や子供が室内から施錠することを防止できる。
第二発明又は第三発明によれば、施錠ストッパーは後付けで使用するので、クレセント錠の改造が不要となる。さらに、出っ張りの無い薄型の形状により、室内から施錠ストッパーを装着した後に、ガラス戸又はアルミサッシ等の開閉を行ない、室外に移動することができる。
【図面の簡単な説明】
【０００７】
【図１】この発明の一実施形態を示す立体図である。
【図２】この発明の一実施形態を示す展開図である。
【図３】従来技術の解除状態を示す立体図である。
【図４】従来技術の施錠状態を示す立体図である。
【発明を実施するための形態】
【０００８】  この発明の一実施形態を、図１及び図２に示す。
クレセント錠の本体は金属製であり、二対のガラス戸又はアルミサッシ等の室内側から見て、手前の戸の左側面中央に取っ手のついた回転可動部１が設置されており、奥の戸の右中央手前の面に固定金具２が設置してある。回転可動部１を回転させて、固定金具２の溝又は穴に噛み合せることで施錠となり、逆方向に回転させて固定金具２と回転可動部１の噛み合せを分離することで解除となる。
施錠ストッパー４を、クレセント錠が解除された状態で、固定金具２に装着させ、回転可動部１と固定金具２の噛み合せを規制する。施錠ストッパー４は、金属製又は、それに順ずる強度の素材とする。
施錠ストッパー４は厚さ２ｍｍ、一辺が１８ｍｍの正方形の板を、厚さ１ｍｍ以下の長方形の二枚の板で挟んだ形状であり、正方形の一辺と長方形の短い一辺は同一寸法とする。正方形の板を長方形の短い辺の片側に寄せて挟んで結合させたものである。
二枚の長方形の板の間に発生する空洞部分を下にして、固定金具２の噛み合せ部分に挟んで装着する。クレセント錠の回転可動部１は、施錠ストッパー４の正方形の板が挟まった上部に当たることで施錠が規制される。
また、施錠ストッパー４の長方形の板の空洞部側は面取りを行ない、装着時の負荷を軽減させる。
施錠ストッパー４の厚さは４ｍｍ、長方形板の長い一辺は４５ｍｍ、正方形の板の一辺及び長方形の板の短い一辺は１８ｍｍとする。
【０００９】「実施形態の効果」
この実施形態によれば、すでに設置されているクレセント錠を改造することなく、施錠を規制し、解除状態を維持できる。クレセント錠の固定金具２に挟んで、差し込むだけなので、装着の手間が容易である。
「他の実施形態」
図１及び図２の実施形態では、施錠ストッパー４の寸法は、厚さ４ｍｍ、長方形板の長い一辺は４５ｍｍ、正方形の板の一辺及び長方形の板の短い一辺は１８ｍｍであったが、他の実施形態では、固定金具２の材料の厚さ、回転可動部１と噛み合せをする固定金具２の噛み合せ穴の幅、あるいは固定金具２への装着時の安定性に合わせて、施錠ストッパー４の寸法も増減したものでも良い。
【符号の説明】
【００１０】１  クレセント錠の回転可動部            ２  クレセント錠の固定金具
３  補助錠                              ４  施錠ストッパー
【図１】
2011085000.tif 000003
【図２】
2011085000.tif 000004
【図３】
2011085000.tif 000005
【図４】
2011085000.tif 000006
(57)【要約】      （修正有）【課題】開口寸法が小なる鉄蓋に於いて、蝶番構造の占有するスペースが大であると、特に内装された仕切弁等を外部より操作する必要のある構成にあって、開栓具の出入りに困難を来たし、実用上の要請があり、これを改善する。【解決手段】上面を路面に露出する鉄蓋受枠開口部の蓋体載置部すぐ下の内周面に縦方向に左右対称、対向して条溝からなる２条のレールを構成し、該レールの上端溝部を閉塞し、受枠中心より見て左右双方に渉って略全レール幅相当のピンを３０度前後の角度に傾けて投影する部分のレール側面を切欠き、一方蓋体には蓋体水平面と直角方向に旋回可能に軸止された棒状の蝶番金物を構成し、該蝶番金物の他端には前記受枠のレールに係合、摺動及び廻動するピンを有し、前記レールの切欠部に該ピンを当接し、捻り込みで連接する如く構成する。【選択図】図１
2011084999.tif 000002
【特許請求の範囲】
【請求項１】
上面を路面に露出する鉄蓋受枠開口部の蓋体載置部すぐ下の内周面に縦方向に左右対称、対向して条溝からなる２条のレールを構成し、該レールの上端溝部を閉塞し、受枠中心より見て左右双方に渉って略全レール幅相当のピンを３０度前後の角度に傾けて投影する部分のレール側面を切欠き、一方蓋体には蓋体水平面と直角方向に旋回可能に軸止された棒状の蝶番金物を構成し、該蝶番金物の他端には前記受枠のレールに係合、摺動及び廻動するピンを有し、前記レールの切欠部に該ピンを当接し、捻り込みで連接する事を特徴とする鉄蓋蝶番構造。
【発明の詳細な説明】
【技術分野】
【０００１】  本発明は、比較的有効内径が小で深さ大なる鉄蓋の蓋体と受枠を繋ぐ蝶番構造に於いて、その取付部構造物の大きさを極力小とし、組付け後容易に離脱しない構成に関わる。
【背景技術】
【０００２】  従来、受枠開口部の空間に、垂直方向に上下する棒状蝶番金物をガイドする環状支持部を有する構成がある。
【発明の開示】
【発明が解決しようとする課題】
【０００３】  本発明の目的とするところは、開口寸法が小なる鉄蓋に於いて、蝶番構造の占有するスペースが大であると、特に内装された仕切弁等を外部より操作する必要のある構成にあって、開栓具の出入りに困難を来たし、実用上の要請があるものであり、これを改善すべくなす構成を提供することを解決すべき技術的課題とする。
【課題を解決するための手段】
【０００４】    上記課題を解決するための技術的手段は、上面を路面に露出する鉄蓋受枠開口部の蓋体載置部すぐ下の内周面に縦方向に左右対称、対向して条溝からなる２条のレールを構成し、該レールの上端溝部を閉塞し、受枠中心より見て左右双方に渉って略全レール幅相当のピンを３０度前後の角度に傾けて投影する部分のレール側面を切欠き、一方蓋体には蓋体水平面と直角方向に旋回可能に軸止された棒状の蝶番金物を構成し、該蝶番金物の他端には前記受枠のレールに係合、摺動及び廻動するピンを有し、前記レールの切欠部に該ピンを当接し、捻り込みで連接する如く構成するものである。
【発明の効果】
【０００５】  前記する受枠開口部の蓋体載置部すぐ下内周面に植設する２本のレールは所要高さが約１５ｍｍ、これに対して在来設計の環状支持部の出っ張り寸法で約４５ｍｍであり、非常にコンパクトな構造となり、機能上、蝶番金物の存在は欠かすことが出来ないものであり、全体として必要最小限の容積となり、このため、内装された仕切弁等を外部より操作する開栓具の出入りを阻害することがなく、組付けを分解するには蓋体を捻り込みする必要があり、不時に脱出する事がなく有用性高いものである。
【発明を実施するための最良の形態】
【０００６】    以下、本発明の実施の形態について図面を用いて説明する。図１、に於いて１は受枠本体、２は図２に示す如く矢印Ａ、Ｂに開閉する蓋体、３は図４に示す如く上下端にそれぞれピン４、５を一体に有する棒状蝶番金物、該ピン４は前記蓋体２の軸支部６を中心として回動自在に組付け、前記受枠本体１には蓋体２の載置面７の直下の壁面８に鉛直に２本平行の取付レール９を構成し、該取付レール９の所要部に図３で示す切欠き１０、即ち前記棒状蝶番金物３のピン５を斜め状に当接する部位を若干大きく切欠いてなるものであり、該棒状蝶番金物３を受枠本体１に組付けするに際しては、そのピン５を斜め状として組込み、矢印Ｃ方向に直立させて完了するもので、これにより該ピン５は図２に於いて矢印Ｄ、Ｅの如く摺動可能となり、逸脱する事がない。
【図面の簡単な説明】
【０００９】
【図１】本発明を実施した要部の閉蓋状態の正面断面図。
【図２】本発明を実施した要部の開蓋状態の正面断面図。
【図３】図１に示す受枠本体１の要部を示す一部断面斜視図。
【図４】図１に示す棒状蝶番金物３を示す斜視図。
【符号の説明】
【００１０】    １、受枠本体
２、蓋体
３、棒状蝶番金物
４、蓋体側軸支ピン
５、受枠側軸支ピン
６、蓋体側蝶番金物取付部
７、蓋載置面
８、壁面
９、取付レール
１０、切欠き
【図１】
2011084999.tif 000003
【図２】
2011084999.tif 000004
【図３】
2011084999.tif 000005
【図４】
2011084999.tif 000006
(57)【要約】      （修正有）【課題】タイヤの振動を簡単に電気に変換して利用できるようにする。【解決手段】ホイール４に内側チューブタイヤ６と外側チューブレスタイヤ８を取り付けて、タイヤ２を、内側チューブ６の外周部と外側チューブレスタイヤ８の内周部が対向する二重構造とする。内側チューブ６の外周部と外側チューブレスタイヤ８の内周部の互いに対向する部分の一方又は両方に圧電素子を有する発電体１６を配設し、内側チューブ６と外側チューブレスタイヤ８の対向部の圧接によって発電体１６が発電する。【選択図】図１
2011084123.tif 000002
【特許請求の範囲】
【請求項１】
ホイールに内側チューブタイヤと外側チューブレスタイヤを取り付けて、内側チューブの外周部と外側チューブレスタイヤの内周部が対向する二重構造とし、内側チューブの外周部と外側チューブレスタイヤの内周部の互いに対向する部分の一方又は両方に圧電素子を有する発電体を配設し、前記内側チューブと外側チューブレスタイヤの対向部の圧接によって発電体が発電するようにしたことを特徴とする二重構造タイヤ発電装置。
【発明の詳細な説明】
【技術分野】
【０００１】
本発明は、圧電素子を利用した、二重構造タイヤの発電装置に関する。
【背景技術】
【０００２】
タイヤに圧電発電装置を設けて、車体の走行中に発電するものが従来知られている（例えば特許文献１参照）
【先行技術文献】
【特許文献】
【０００３】
【特許文献１】特開２００８−５４４５０号公報
【発明の概要】
【発明が解決しようとする課題】
【０００４】
従来のタイヤを利用した発電装置は、構造が複雑で実用に不適であるという問題点がある。本発明は、上記問題点を解決することを目的とするものである。
【課題を解決するための手段】
【０００５】
上記目的を達成するため、本発明は、ホイールに内側チューブタイヤと外側チューブレスタイヤを取り付けて、内側チューブの外周部と外側チューブレスタイヤの内周部が対向する二重構造とし、内側チューブの外周部と外側チューブレスタイヤの内周部の互いに対向する部分の一方又は両方に圧電素子を有する発電体を配設し、前記内側チューブと外側チューブレスタイヤの対向部の圧接によって発電体が発電するようにしたものである。
【発明の効果】
【０００６】
本発明は、簡単な構造で、タイヤの振動を電気に変換することができる。
【図面の簡単な説明】
【０００７】
【図１】タイヤの断面図である。
【図２】タイヤの断面図である。
【図３】タイヤの外観図である。
【図４】タイヤの一部を切り欠いた外観図である。
【図５】内側チューブタイヤの外観図である。
【図６】発電体の外観図である。
【図７】発電体の外観図である。
【図８】本発明の他の実施形態を示す断面図である。
【図９】本発明の他の実施形態を示す断面図である。
【発明を実施するための形態】
【０００８】
以下に本発明の構成を添付した図面を参照して詳細に説明する。
図１は自動車の車体に取り付けられて使用される二重構造タイヤ（２）の断面図を示している。二重構造タイヤ（２）は、ホイール（４）に、内側チューブタイヤ（６）と外側チューブレスタイヤ（８）が取り付けられている。
【０００９】
タイヤ（２）は、外側チューブレスタイヤ（８）と内側チューブタイヤ（６）の二重構造となっている。内側チューブタイヤ（６）の外周面は、所定の間隔を存して外側チューブレスタイヤ（８）の内周面に対面配置されている。内側チューブタイヤ（６）の、サイドウォール部とほぼ直角な周壁部（６ａ）の外周部には、図７に示すように、電極（１０）（１２）と、ピエゾ素子と呼ばれる圧電素子（１４）とからなる発電体（１６）が全周にわたって一体的に固設されている。
【００１０】
発電体（１６）は、内側チューブタイヤ（６）のゴム層（１８）と保護用のゴム部（２０）間に配置され、発電体（１６）の厚み方向の両面は対面するゴム部（２０）とベルトコード（２２）に接着されている。ベルトコード（２２）には、図７に示すようにプライコード層（２４）が接着され、プライコード層（２３）はゴム層（２０）に接着されている。
【００１１】
図１中、（２４）は内側チューブタイヤ用バルブ、（２６）は外側チューブレスタイヤ用バルブ、 （２７）はエアーノズルである。発電体（１６）の電極（１０）（１２）は、ホイール（４）に配設された電気接点（図示省略）を通じて、タイヤ（２）の外部の電気配線と接続している。外側チューブレスタイヤ（８）と内側チューブタイヤ（６）は、別途に取り付けた空気圧調整装置により、自動車の走行中でも、空気圧の調整ができるように構成される。
【００１２】
タイヤ（２）を車体に取り付ける前の無負荷状態では、外側チューブレスタイヤ（８）の内周面と、内側チューブタイヤ（６）の外周面との間隔は数ミリメートルに設定されるが、車体にタイヤ（２）を取り付けると、路面と接する外側チューブレスタイヤ（８）は、車重により、サイドウォール部が図２に示すように屈曲して、内周面が内側チューブタイヤ（６）の外周面に圧着し、発電体（１６）に圧力が加わり、この圧力により発電体（１６）が発電するように構成されている。
【００１３】
車両が動き出すとタイヤ（２）の振動により、発電体（１６）に連続的に圧力が加わり、とぎれることなく発電体（１６）が発電する。発電体（１６）で発電された電気は、電気自動車やハイブリッド車等のバッテリー充電に使われる。
上記実施形態では、内側チューブタイヤ（６）側に発電体（１６）を一体的に設けたが図８,９に示すように内側チューブタイヤ（６）側と、外側チューブレスタイヤ（８）側の両方に発電体（１６）（１６）を設けるようにしても良い。
【００１４】
外側チューブレスタイヤ（８）側の発電体（１６）の一体化固設構造は、図７に示す内側チューブタイヤ（６）側の発電体（１６）の一体化固設構造と同一である。
尚、本発明は、自動車のタイヤ以外に自転車、その他の走行車のタイヤに応用することができる。
【符号の説明】
【００１５】
２      タイヤ
４      ホイール
６      内側チューブタイヤ
８      外側チューブレスタイヤ
１０    電極
１２    電極
１４    圧電素子
１６    発電体
１８    ゴム層
２０    ゴム層
２２    ベルトコード
２３    プライコード層
２４    内側チューブタイヤ用バルブ
２６    外側チューブレスタイヤ用バルブ
【図１】
2011084123.tif 000003
【図２】
2011084123.tif 000004
【図３】
2011084123.tif 000005
【図４】
2011084123.tif 000006
【図５】
2011084123.tif 000007
【図６】
2011084123.tif 000008
【図７】
2011084123.tif 000009
【図８】
2011084123.tif 000010
【図９】
2011084123.tif 000011
(57)【要約】【課題】  詰め替えのときの液だれ防止、簡単に洗える衛生的な液だれ防止具を提供する。【解決手段】  平面シートを立体的にすることを設け、筒状になることを設けたことを特徴とする液だれ防止具。【選択図】図１
2011084334.tif 000002
【特許請求の範囲】
【請求項１】
ボトルの先にシートを筒状に設けることで液だれ防止を特徴とする液だれ防止具。
【請求項２】
立体的から平面にできることを設けたことで簡単に洗えることを特徴とする請求項１の液だれ防止具。
【請求項３】
立体的にした状態でストップガードを設けたことではずれないことを特徴とした請求項１の液だれ防止具。
【発明の詳細な説明】
【技術分野】
【０００１】  本発明は、さっと洗えて詰め替えのときの液だれ防止具に関するものである。
【背景技術】
【０００２】  従来、詰め替えの際詰め替える本体とボトルを両方押さえて使用していた。
【発明の概要】
【発明が解決しようとする課題】
【０００３】  そのため次のような問題点があった。
液だれが起こりやすく、そのためボトルを水で洗う煩わしさ、手数がかかった。
多くの水を使う問題点があった。
【課題を解決するための手段】
【０００４】  シート本体（１）を丸めて（２）筒状にもうけ、広がらないためのストッパー（３）を設ける。
ボトル本体（４）にさし込み簡単に詰め替えができ、液だれ防止使用後シート本体（１）に広げてさっと洗える。
以上のように構成された液だれ防止具である。
【発明の効果】
【０００５】  手間のかかる詰め替えが簡単にできる液だれ防止に役に立ちさっと洗えることで、ＥＣＯにも貢献できる。
シートにストップガードを設けることで筒状の状態を維持できる。
【図面の簡単な説明】
【０００６】
【図１】  本発明の液だれ防止具の一実施例を示した正面図である。
【図２】  本発明の液だれ防止具の組み立てた状態の説明図である。
【発明を実施するための形態】
【０００７】  シート本体（１）を丸めて（２）筒状にもうけ、広がらないためのストッパー（３）を設け、ボトル本体（４）にさし込み簡単に詰め替えができ、液だれ防止使用後シート本体（１）に広げてさっと洗えることを特徴とした。
以上のように構成された液だれ防止具である。
平面のシートを立体的にすることで形状をたもつことができる。
使用後は、平面にすることでさっと洗うことを可能にする。
なお、洗う際に少量の水で済むことでＥＣＯにも役立つ特性。
【実施例】
【０００８】  以下、添付図に従って一実施例を説明する
平面シート（１）は、平面シートで耐水性の塩化ビニールを素材としており、液体、粉末にも多様に使用が可能である。
立体的に仕様（２）は、くるくると丸めて筒状の立体的な形を示したものである。【０００９】  ストップガード（３）は、ストップガードをつけることにより広がりを解消することで形状を維持することができる。
受け皿（４）は、筒状のものをボトルにさし込みストッパーガードにより中に沈むことの防止に役立つ特性。
通気孔（５）は、広げることで受け皿の機能を示すことが特徴である。【００１０】  なお、洗う際に平面にすることにより少量の水で洗えることでＥＣＯにもやさしいことになる。
【符号の説明】
【００１１】１  平面シート
２  立体的に仕様
３  ストップガード
４  受け皿
５  通気孔
【図１】
2011084334.tif 000003
【図２】
2011084334.tif 000004
(57)【要約】【課題】従来のペットボトルのキャップはスクリュ−式やスポ−ツキャップなどで一時的に蓋を開閉するのに両手を必要としたり製造コストが高い難点があった。【解決手段】ボトルキャップ上面または下面に人工コルクを付けて内栓とした。【選択図】図１
2011084335.tif 000002
【特許請求の範囲】
【請求項１】
ボトルキャップに人工コルク栓を付けたもの
【発明の詳細な説明】
【技術分野】
【０００１】飲料用ペットボトル等のキャップ上面または下面に人工コルク栓（合成樹脂や金属など）を付けて片手で開閉できるようにしたもの。
【背景技術】
【０００２】従来のボトルキャップは手回しスクリュ−式や飲み口を指で押し上げると穴が開通、押し下げると閉口するスポ−ツキャップだった。
【発明の開示】
【発明が解決しようとする課題】
【０００３】従来のボトルキャップはスクリュ−式が多く、一時的にキャップを開閉するのに片手では時間がかかり両手を必要とし、スポ−ツキャップでは使いずらく、また製造コストが高い。
【課題を解決するための手段】
【０００４】ボトルキャップ上面または下面に人工コルク栓を付けた。
【発明の効果】
【０００５】ペットボトル入り飲料などを少しずつ飲む自動車運転中やデスクなどでも片手で簡単に繰り返し開閉できるようになった。
また、倒しても中味が漏れず炭酸飲料など揮発しない。
【実施例】
【０００６】既存のペットボトルの本体やキャップ内側のスクリュ−構造を変えないで繰り返し人工コルクで栓ができるように人工コルクの形状は容易に開かない程度の摩擦力で密閉できる接触面積と高さで、衛生面ではプルタブ式飲料缶などと同様に抵抗感がないものとした。
【図面の簡単な説明】
【０００７】
【図１】キャップ上面に付けた人工コルク栓の立体図。
【図２】図１の円周状の縁だけの人工コルクの立体図。
【図３】ペットボトル飲み口に人工コルクで栓をした時の断面図。
【図４】図２の円周状の縁だけをキャップ下面に付けた時の断面図。
【符号の説明】
【０００８】１ペットボトル
２人工コルク栓
３キャップ
【図１】
2011084335.tif 000003
【図２】
2011084335.tif 000004
【図３】
2011084335.tif 000005
【図４】
2011084335.tif 000006
(57)【要約】      （修正有）【課題】手軽な方法で車椅子に乗せたままの患者の移動が可能な車椅子運搬用リヤカー自転車を提供する。【解決手段】解決手段として一寸した外出にも車椅子運搬用リャカー自転車１を利用することで、通常の自転車で行ける範囲では、要介護者を車椅子２に乗せたままで、リヤカーに積み降ろしも手軽にできて、乗り換えのいらない車椅子２での買い物や、通院もできる。いつでも、どこにでも費用もかからず予約もいらない。気軽に中距離外出もできて、これで介護者の時間的、労力的、精神的な負担が半減されることになる。【選択図】図１
2011084260.tif 000002
【特許請求の範囲】
【請求項１】
通常の自転車本体の前半分のサドルからペダルはそのままで、後ろ半分を車椅子運搬用リャカー自転車（１）にする。市販の車椅子（２）にシートベルトを装備して、車椅子の乗せられるサイズにする。この車椅子運搬用リャカー自転車（１）の荷台を低床にする。いずれもタイヤ及び本体は太めのものを使用する。車椅子（２）本体の積み降ろしには、後部ドア兼スロープ（３）を開いて昇降する。リャカーの空車から車椅子（２）を乗せるとリヤカー後部に荷重がかかり後部ドア兼スロープ（３）の開閉が、しにくくなるために後部ドア兼スロープ（３）の荷重の支え部分に荷重コマ（４）及び開閉トッテ（５）を設けて操作を楽にした。車椅子（２）の積載の際は両サイドのタイヤストッパー（８）まで押し込んで、後部ドア兼スロープ（３）を閉めてドアロック（６）を懸けると車椅子（２）の前後の動きが固定される。車椅子（２）の要介護者はシートベルトをして、安定グリップ（７）を握って身体の安全を図れるようにした。雨天にはフードを取り付けることもできる。
【発明の詳細な説明】
【技術の分野】
【０００１】  通常の三輪自転車を強化した伝動で後輪を回転さす。車椅子運搬用リャカーは車椅子の積めるサイズとして、リャカーの荷台を低くして後部ドアの断面はレ型をして開くとスロープとリヤカーの後部の荷重を支える荷重コマ付きとした。これでリヤカーの車体のバランスをとりスムーズに積み降ろしができる。車椅子のタイヤ寸法に合わせてリヤカーの両サイドにストッパーを取り付けて、ここまで車椅子を押しつけて後部ドアーを閉じてロックし、車椅子の前後の動きを固定するようにした。要介護者はサドルの後部の安定グリップを握ることで身体の揺れを抑制し安全を確保する。これは車椅子運搬用リャカー自転車に関するものである。
【背景技術】
【０００２】  従来は病院に行くにも車椅子患者の手軽な移動運搬方法はなかった。車椅子に患者を乗せたまま自宅から中距離の外出や買い物に行く時も、手で押して歩いて行くか、また、自家用車での移動では患者と車椅子を数回も乗せ変えて行くことが日課となっていた。車椅子専用運搬自動車を予約するか、介護施設に頼むかしか車椅子と患者の移動手段はなかった。
【発明の開示】
【発明が解決しようとする課題】
【０００３】  手軽に自宅から患者を車椅子に乗せたままで中距離の病院や外出をする手段はなかった。人力で押して歩いて行には遠く、車椅子の乗る専用自動車は高価で購入不可能、介護サービスに依頼すれば時間も費用も掛かっていた。日々患者を近くに移動するにも車椅子から自家用車に乗せ変えての繰り返えし介助には、労力も必要で動きに無駄が多すぎた。最低でも運転免許証や自家用車の必要性があった。
【課題を解決するための手段】
【０００４】  解決の手段として、手軽な方法で車椅子に乗せたままの患者の移動は本車椅子運搬用リャカー自転車（１）を使うことで便利になった。買い物や病院通いなどの一寸した中距離の外出にも無駄な費用や労力も要らなくなった。車椅子運搬用リャカー自転車（１）を利用すると患者を車椅子に乗せたままで、容易に積み降ろしができて目的地にも気軽に行けるようになった。誰でもいつでも、どこへでも移動が可能になった。自家用車に乗せ変えたり降ろしたりする必要もなくなり移動介助が楽になった。
【発明の効果】
【０００５】  車椅子運搬用リャカー自転車で中距離の外出が手軽にできるようになった。患者を車椅子に乗せたままで、この車椅子運搬用リャカー自転車に積み下ろしができて介護者の負担が少なくなった。入院患者もこの車椅子運搬用リヤカー自転車で移動ができて通院もできようになるので、今後の介護入院ベット待ちも減少し在宅介護も可能にした。更にこれで手軽に外出や見聞もできて患者の行動範囲も広がり、密室での居て籠もりの患者の心の治療にもつながることになる。
【発明を実施するための最良の形態】
【０００６】  以下、本発明を実施するための最良の扱いについて説明する。
患者を車椅子（２）に乗せたままで、車椅子運搬用リヤカー自転車（１）で出掛ける場合は、まず、車椅子（２）を積み込む手順として、後部ドア兼スロープ（３）のドアロック（６）を解き地上まで降ろし、そのまま車椅子（２）をスロープの上を押し上げる。タイヤストッパー（８）まで押し込み、車椅子（２）のブレーキを掛けて、後部ドア兼スロープ（３）の開閉トッテ（５）を持ち上げる。この時支え部分に荷重が掛かっているので路面と接点の荷重ゴマ（４）が転がり、後部ドア兼スロープ（３）を閉じやすくした。ドアロック（６）をすると車椅子（２）の前後の動きがこれで固定される。患者はシートベルトをして必要に応じてヘルメットも準備する。安定グリップ（７）を握ることで発進ができる。
【図面の簡単な説明】
【０００７】
【図１】  本発明の車椅子運搬用リヤカーの横立面図である。
【図２】  本発明の車椅子運搬用リヤカーの前方立面図である。
【図３】  本発明の車椅子運搬用リヤカーの後方立面図である。
【図４】  本発明の車椅子運搬用リヤカーの平面図である。
【符号の説明】
【０００８】      １  車椅子運搬用リャカー自転車
２  車椅子
３  後部ドア兼スロープ
４  荷重コマ
５  開閉トッテ
６  ドアロック
７  安定グリップ
８  タイヤストッパー
【図１】
2011084260.tif 000003
【図２】
2011084260.tif 000004
【図３】
2011084260.tif 000005
【図４】
2011084260.tif 000006
(57)【要約】      （修正有）【課題】気に入った包み紙や美しい絵やイラストのある紙、折り紙、千代紙などを使い個性的で美しいオリジナルな封筒やお年玉袋、カードケース等を簡単に作る。【解決手段】１つのプレート１の中に２〜３種類の異なったサイズの封筒を作ることが出来る溝２が抜かれていて、夫々のサイズに合わせて色分けされた側線がシルクスクリーン印刷されている封筒用テンプレート１であって、表面プラスチック板と裏厚紙の間に使用する紙を挟み、色線に沿って外線を引き、その線に沿って切り取り、内側に沿って折り曲げ、ノリシロに糊を付けることにより個性豊かな封筒が簡単に出来る。【選択図】図１
2011084052.tif 000002
【特許請求の範囲】
【請求項１】
熱可塑性プラスチックで厚さ０．５〜１．２ｍｍの板に封筒の展開図にノリシロを設け、その外側にあたる部分と折り曲げる部分を兼ねた溝を彫刻、レーザー加工、トムソン等でプレス加工により施し、その案内線に基づいて線を引き、外側を切り取り、残った内側の線を折り曲げて個性的なオリジナル封筒を作る封筒用テンプレート。
【請求項２】
１つのプレートの中に２〜３種類の異なったサイズの封筒を作ることが出来る溝が抜かれていて、夫々のサイズに合わせて色分けされた側線がシルクスクリーン印刷されている封筒用テンプレート。
【発明の詳細な説明】
【技術の分野】
【０００１】折り紙、千代紙、包み紙等身近にある素材を使ってカラフルなオリジナル封筒を簡単に作ることが出来るテンプレート
【背景技術】
【０００２】従来オリジナルな封筒を作るにはタテヨコの寸法を測り、ノリシロを設けて線を引き、切断して折り曲げ、糊付けをして貼り付け作成している。
【発明の概要】
【発明が解決しようとする課題】
【０００３】美しい模様やイラストなどのある包み紙や折り紙等を無駄にせず、何らかの形にして残したい、他人に贈りたい、記念のものを入れておきたいなど考えたとき、そのデザイン、柄を生かして封筒を簡単に作ることが出来るテンプレートを作成する。
【課題を解決するための手段】
【０００４】ハガキ、お年玉などのポチ袋、カードなどをそれぞれ入れることが出来る封筒の展開図を作成して、それぞれにノリシロを加えた外周の溝を、厚さ０．５〜１．２ｍｍのプラスチックに抜き取り加工をした封筒用テンプレート。
ただし印刷に不向きなポリエチレン、ポリプロピレンや軟質のため伸びてしまうような材質は不向きである。【０００５】折り曲げ、重ねられる部分の位置もプレートに抜き取ってある。【０００６】はがき、お年玉袋、カードケース等は一枚のテンプレートの中に抜き取られていて、その周辺には色分けて印刷を施してある。【０００７】テンプレートの裏面には、厚紙が取り付けられるようにその一端をビニルテープ等で接続されている。そのテンプレートと厚紙の間に使用する紙材を裏面が出るように挟み込む。テンプレート表面に印刷されている色線にしたがって、鉛筆等で印を付けていく。【０００８】テンプレートから外したら、その紙材に引かれた線に沿ってハサミ等で切り取り、残った内側の線の位置で内側に折り込むことにより封筒の型になる。
その後ノリシロ部に糊を塗って接着すると、オリジナルな封筒が簡単に作れる封筒用テンプレート。
【発明の効果】
【０００９】お気に入りの包み紙や色紙、絵画、折り紙等を使って、オリジナルで個性豊かな封筒が簡単に誰でも作ることが出来る。
【図面の簡単な説明】
【００１０】
【図１】は封筒用テンプレートのプラスチック部分の図である。プラスチック板１に彫刻、レーザーカット、プレス等で抜き溝２を抜き取る。その溝は封筒用とお年玉袋用とが一部兼ねて使用され、またお年玉袋用はカードケースと一部兼用される。その溝に夫々色分けのラインが印刷されている。この色に沿って線を引くことにより、その外寸を決めることが出来る。
【００１１】
【図２】は表面テンプレート部１と裏面厚板９であり、１と９は連結用ビニルテープで繋がっている。１と９との間に使用する紙を挟み込み、外側からテンプレート溝２の側に印刷された色分け線３と４、５と６、７と８を選んで線を引き切り取ることにより外寸が決まり、内面に残った線に沿って折り曲げ、糊付けすることにより、個性があるオリジナルな封筒を作ることが出来る。
【発明を実施するための形態】
【００１２】白色のＡＢＳ０．８ｍｍの板にビク抜き型を作成しトムソン加工にて溝を抜き取り、必要な部分に作成する封筒の大きさに従って色分け用の線をシルクスクリーンにて印刷し、その裏面にプラスチック板と同じ大きさにカットされた白色厚紙２７０キロをビニールテープにて片側を連結したことにより、コンパクトで誰にでも簡単にオリジナル封筒を作ることが出来るテンプレートを提供する。
【産業上の利用可能性】
【００１３】以上説明してきた通り本発明は個性的でオリジナリティのある封筒を簡単に作成することが出来るテンプレートを提供できる。
【符号の説明】
【００１４】  １、表面テンプレート部
２、抜き溝
３、封筒用色別線外
４、封筒用色別線内
５、お年玉袋用色別線外
６、お年玉袋用色別線内
７、カードケース用色別線外
８、カードケース用色別線内
９、裏紙
１０、連結用テープ
【図１】
2011084052.tif 000003
【図２】
2011084052.tif 000004